(57)【要約】【課題】履物が邪魔にならずに、ドアの開閉をすることができ、入り口において楽に履物の履き替えを行うことができるドアと連動する履物移動装置を提供する。【解決手段】  ドア（２０）が開いたとき履物（１００）が室内の入り口の着脱位置にあり、ドア（２０）が閉まると履物（１００）が前記入り口から離れた格納位置に移動するドア（２０）の開閉に連動可能な履物移動装置であって、履物（１００）を載置する載せ台（４２）がある載置手段（４）と、前記ドア（２０）の開閉に連動するように前記載せ台（４２）を前記ドア（２０）に連結する連結手段（６）とを備えている。【選択図】図２
0003148188.tif 000002
【実用新案登録請求の範囲】
【請求項１】
ドアが開いたとき履物が室内の入り口の着脱位置にあり、ドアが閉まると履物が前記入り口から離れた格納位置に移動するドアの開閉に連動可能な履物移動装置であって、
履物を載置する載せ台を有する載置手段と、
前記ドアの開閉に連動するように前記載せ台を前記ドアに連結する連結手段と、
を備えたことを特徴とする履物移動装置。
【請求項２】
その上に前記載せ台が設置されて前記着脱位置と前記格納位置との間に移動させるように、前記着脱位置及び前記格納位置の間に帯状に延びるガイドレールを更に備えたことを特徴とする請求項１に記載の履物移動装置。
【請求項３】
前記載置手段は、前記載せ台と連結した受け軸と、該受け軸と連結して前記載せ台の移動と共に前記ガイドレールに沿って移動する滑り部材を有し、
前記ガイドレールは、前記滑り部材を収容できる滑り溝を画成するように前記載せ台を載置する上面部と、前記上面部と対向し前記滑り溝を前記滑り部材が滑り移動する底面部と、前記上面部及び底面部のそれぞれの周縁に接続した２つの側面部とからＣの字形断面状に形成されており、前記上面部の中央部に前記受け軸が通るスロットが形成されていることを特徴とする請求項２に記載の履物移動装置。
【請求項４】
前記連結手段としては、棒状をして両端がそれぞれ前記載せ台と前記ドアとに連結されることを特徴とする請求項１に記載の履物移動装置。
【請求項５】
前記載せ台が常に前記格納位置に移動する付勢力を与える弾性手段を更に備えたことを特徴とする請求項４に記載の履物移動装置。
【請求項６】
前記連結手段としては、その両端がそれぞれ前記載せ台と前記ドアに連結されるひもを用い、
前記載せ台が常に前記格納位置に移動する付勢力を与える弾性手段を更に備えたことを特徴とする請求項１に記載の履物移動装置。
【請求項７】
前記弾性手段は、巻取りリールと、その両端がそれぞれ前記巻取りリールと前記載せ台とに連結されたぜんまいばねを備えていることを特徴とする請求項５又は６に記載の履物移動装置。
【請求項８】
前記載置手段は、その上部に前記載せ台を載せ、その下部に前記受け軸が連結されており、前記ガイドレールの上面部に設置される受け台を更に有することを特徴とする請求項３に記載の履物移動装置。
【請求項９】
前記載せ台は、その一辺側に履物が載置され他辺側を前記受け台に取り付けるように可撓性シートとすることを特徴とする請求項８に記載の履物移動装置。
【請求項１０】
前記格納位置に、前記履物を覆うことができるように前記載せ台を格納する覆いが更に設けられることを特徴とする請求項２に記載の履物移動装置。
【考案の詳細な説明】
【技術分野】
【０００１】
本考案は、室内の出入り口にあるスリッパや下履きなどの履物がドアの開閉の邪魔にならないようにするドアの開閉に連動可能な履物移動装置に関するものである。
【背景技術】
【０００２】
リビングや部屋などとの間仕切りドアを有するトイレや浴室などの水回りに入るとき、下履きなどの別の履物に履き替えるのが普通である。水回りにおいては、室内側に開く内開きのドアを採用するのが一般であるが、履物を室外の入り口に配置すると散らかしやすく通行の邪魔にもなりやすいので、通常室内側の入り口に配置されている。
【考案の開示】
【考案が解決しようとする課題】
【０００３】
しかしながら、ドアを開閉する際、ドアが履物に突っ掛かってしまい、履物が入り口側位置から移動したり、ドアと入り口との間にはさまってドアが閉まらない場合があるので、ドアの開閉に邪魔にならないよう入り口から離してドアの回転エリア外に履物を配置しなければならず、履き替えるのに不便である。
【０００４】
本考案は、かかる問題に鑑みてなされたものであり、履物が邪魔にならずに、ドアの開閉をすることができ、入り口において楽に履物の履き替えを行うことができるドアと連動する履物移動装置を提供することを目的とする。
【課題を解決するための手段】
【０００５】
上記目的を達成するために、本考案は、ドアが開いたとき履物が室内の入り口の着脱位置にあり、ドアが閉まると履物が前記入り口から離れた格納位置に移動するドアの開閉に連動可能な履物移動装置であって、履物を載置する載せ台がある載置手段と、前記ドアの開閉に連動するように前記載せ台を前記ドアに連結する連結手段とを備えていることを特徴とする履物移動装置を提供する。
【０００６】
前記本考案の履物移動装置においては、その上に前記載せ台が設置されて前記着脱位置と前記格納位置との間に移動させるように、前記着脱位置及び前記格納位置の間に帯状に延びるガイドレールを更に備えていることが好ましい。
【０００７】
前記本考案の履物移動装置においては、前記載置手段は、前記載せ台と連結した受け軸と、該受け軸と連結して前記載せ台の移動と共に前記ガイドレールに沿って移動する滑り部材を有し、前記ガイドレールは、前記滑り部材を収容できる滑り溝を画成するように前記載せ台を設置する上面部と、前記上面部と対向し前記滑り溝を前記滑り部材が滑り移動する底面部と、前記上面部及び前記底面部のそれぞれの周縁に接続した２つの側面部とからＣの字形断面に形成されており、前記上面部の中央部に前記受け軸が通るスロットが形成されていることがより好ましい。
【０００８】
前記本考案の履物移動装置においては、前記連結手段としては、棒状をして両端がそれぞれ前記載せ台と前記ドアに連結されることが好ましい。
【０００９】
前記本考案の履物移動装置においては、前記載せ台が常に前記格納位置に移動する付勢力を与える弾性手段を更に設けていることが好ましい。
【００１０】
また、前記連結手段としては、その両端がそれぞれ前記載せ台と前記ドアに連結されるひもを用いてもよく、この場合、さらに、前記載せ台が常に前記格納位置に移動する付勢力を与える弾性手段を設けることとしてもよい。
【００１１】
前記本考案の履物移動装置においては、前記弾性手段は、巻取りリールと、その両端がそれぞれ前記巻取りリールと前記載せ台とに連結されたぜんまいばねをそなえていることが好ましい。
【００１２】
前記本考案の履物移動装置においては、前記載置手段はさらに、その上部に前記載せ台を載せ、その下部に前記受け軸が連結されており、前記ガイドレールの上面部に設置される受け台を有することが好ましい。
【００１３】
前記本考案の履物移動装置においては、前記載せ台は、１例としては、その一辺側に履物が載置され他辺側を前記受け台に取り付けるように可撓性シートとすることが好ましい。
前記本考案の履物移動装置においては、さらに、前記格納位置に、前記履物を覆うことができるように前記載せ台を格納する覆いが設けられることが好ましい。
【考案の効果】
【００１４】
本考案の履物移動装置によれば、履物の載せ台がドアの開閉に連動して移動することになるので、履物が邪魔になってドアの開閉を円滑に行うことができないことがなく、履物が入り口から離れた位置まで移動してしまうこともなくなる。従って、入り口において楽に履物の履き替えを行うことができる。
【考案を実施するための最良の形態】
【００１５】
以下、本考案を図面を参照して説明する。図１及び図２は、本考案の好ましい実施の形態として例えば室内側に開く内開きのドア２０に適用される履物移動装置１を示す上面図である。図１はドア２０が閉じた状態の概略上面図、図２はドア２０が開いた状態の外力上面図である。図中、符号１０は、室の内外を仕切る仕切壁１０であり、この仕切壁１０の開口部に取り付けられたドア枠２２にドア板２１を一辺側がドア枠２２に回動可能に枢接し、ドア板２１が前記ドア枠２２内に収まる閉状態と該閉状態からある角度回動する開状態との間で変わるドア２０が設けられている。
【００１６】
そして、本実施の形態にかかる履物移動装置１は、ドア２０が開いたとき履物１００が室内の入り口の着脱位置にあり、ドア２０が閉まるとき履物１００が入り口から離れた格納位置にあるように移動するドア２０の開閉に連動可能に、室内の入り口に配置されている。
【００１７】
履物移動装置１は、本例においては、履物１００を載置する載せ台４２を有る載置手段４と、ドア２０の開閉に連動するように載せ台４２をドア２０に連結している連結手段６とを備えている。連結手段６の両端６１、６２は符号で明示しない枢着部材によってそれぞれドア板２１及び載せ台４２に枢着されている。連結手段６としては、その長手両端がそれぞれ載せ台４２とドア２０に連結される棒材を用いることが好ましい。
【００１８】
図４は図１中のＶＩ−ＶＩ線断面図である。この履物移動装置１においては、より具体的には、図４に示すように、室内の床面１１上にガイドレール３が設けられ、その上に載せ台４２が載置されて図１中の実線で示す着脱位置と図１中の破線もしくは図２中の実線で示す格納位置との間に移動させるように、ガイドレール３は着脱位置及び格納位置の間に帯状に延びている。
【００１９】
図３は載置手段４及びガイドレール３の概略を示す斜視図である。載置手段４は、図３に示すように、ガイドレール３に係合するように載せ台４２と連結した受け軸４３と、該受け軸４３と連結し載せ台４２の移動と共にガイドレール３に沿って移動する滑り部材４４を有する。
【００２０】
ガイドレール３は、図３に示すように、滑り部材４４を収容できる滑り溝３１を画成するように載せ台４２を載置する上面部３０３と、上面部３０３と対向し滑り部材４４が滑り移動する底面部３０１と、上面部３０３及び底面部３０１のそれぞれの周縁に接続した２つの側面部３０２、３０４とからＣの字形断面を形成しており、上面部３０３の中央部に受け軸４３が通るスロット３２が形成されている。
【００２１】
このスロット３２は、滑り部材４４がスロット３２から脱離することなく安定に滑り溝３１内に滑り可能に、例えば開き幅が滑り溝３１の幅より小である溝状に形成されている。なお、この例においては、ガイドレール３は、既設の室内の床面１１を破壊しないために、床面１１よりも上がった状態で配設されているが、使用者が室内を歩く際に邪魔にならないために使用者が履物１００を簡単に履くことができるよう載せ台４２が床面１１と面一である状態において床面１１よりも下がった状態で取り付けられてもよい。
【００２２】
そして、載置手段４の移動が円滑に行なわれるようにさらに、図１に示すように、載せ台４２が常に格納位置に移動する付勢力を与える弾性手段８を設けることが好ましい。弾性手段８は、一例としては、例えば巻取りリール８２と、その一端が前記巻取りリール８２に連結されたぜんまいばね８１と、その両端がそれぞれぜんまいばね８１と載せ台４２とに連結されたつなぎコード８３をそなえている。
【００２３】
載置手段４は、本例においてはさらに、その上部に載せ台４２を載せ、その下部に受け軸４３が連結されており、ガイドレール３の上面部３０３に滑り移動可能に設置される受け台４１を有する。なお、この例では、受け台４１としては例えば長板を用いることができ、また、滑り部材４４は、滑り溝３１に滑り可能に形状及び数は適当に設計することもできる。
【００２４】
図６及び図７は、図３中の滑り部材４４の一例を示す図である。滑り溝３１内に滑りやすくするために、一例としては、図６、図７に示すように、側面部３０２の滑り溝３１側の内面３０５或いは側面部３０４の滑り溝３１側の内面３０６と少し接触して滑り移動するように円盤状に形成されているものを、受け台４１の２端に設けることができる。この滑り部材４４は１例として受け軸４３を中心軸として回転自在に受け軸４１３に枢着されているローラを用いる。載せ台４２は、１例としては、例えばその一辺側に履物１００が載置され他辺側を受け台４１に取り付けるように可撓性シートを用いることが好ましい。
【００２５】
この例においては、さらに載せ台４２に載置される履物から水はねやちり、よごれをしっかりガードするように、格納位置に、履物１００を覆うことができるように載せ台４２を格納する覆い７が設けられることが好ましい。具体的には、図４に示すように、覆い７は、ガイドレール３及び載せ台４２を跨いで設けた載せ台４２の移動方向における両端が開口のラック状に形成されたものを用いることが好ましい。
【００２６】
連結手段６としては、載せ台４２が常に格納位置に移動する付勢力を与える弾性手段８を設けている場合、棒材のみならず、ひもを用いることもできる。
【００２７】
次に、本実施の形態の作用について説明する。図５は、ドア２０が半開き状態のときの概略上面図である。図８は図１の部分拡大図である。ドア２０のドア板２１をドア枠２２内に収まって閉めた状態では、図１、図８に示すように、弾性手段８により引張られて室内の入り口から離れた位置である格納位置にて履物１００を載せている載せ台４２が覆い７に覆われた状態で格納されている。従って、この状態でドア２０を開けても載せ台４２が邪魔になることがない。
【００２８】
ドア２０を開けるとき、載せ台４２とドア板２１とは連接部材６を介して相互に連結されているので、図５に示すように、ドア板２１の回転に連動して載せ台４２は連接部材６によって引張られ、格納位置からガイドレール３に沿って移動し、図２に示すように、載せ台４２が入り口側の着脱位置まで移動してくる。従って、使用者は入り口まで移動してきた載せ台４２上に履物１００の着脱を行うことができる。
【００２９】
ドア２０を閉めるとき、図５に示すように、前記と逆に、ドア板２１の回転に連動して載せ台４２は連接部材６によって押されながら弾性手段８によって引かれて着脱位置からガイドレール３に沿って移動し、図１に示すように載せ台４２は入り口から離れた格納位置まで移動していく。したがって、履物１００が邪魔になることなくドア２０を閉めることができる。
【００３０】
以上説明したように本考案の履物移動装置は、履物の載せ台がドアの開閉に連動して移動することができるので、履物が邪魔になってドアの開閉を円滑に行うことができないことがなく、履物が入り口から離れた位置まで移動してしまうこともなくなる。従って、入り口において楽に履物の履き替えを行うことができる。
【図面の簡単な説明】
【００３１】
【図１】本考案の好ましい実施例にかかる履物移動装置において閉状態のときの概略上面図である。
【図２】本考案の好ましい実施例にかかる履物移動装置において履物移動装置において開状態のときの概略上面図である。
【図３】図１の履物移動装置において載置手段４及びガイドレール３の概略示す斜視図である。
【図４】図１のＩＶ−ＩＶ線における概略断面図である。
【図５】本考案の好ましい実施例にかかる履物移動装置において半開き状態のときの概略上面図である。
【図６】滑り部材４４の滑り溝における滑り状態を示す側面図である。
【図７】滑り部材４４の滑り溝における他方の滑り状態を示す側面図である。
【図８】図１の部分拡大図である。
【符号の説明】
【００３２】
１  履物移動装置
１０  仕切壁
１１  床面
１００  履物
２０  ドア
２１  ドア板
２２  ドア枠
３  ガイドレール
３０１  底面部
３０２、３０４  側面部
３０３  上面部
３０５、３０６  内面
３１  滑り溝
３２  スロット
４  載置手段
４１  受け台
４２  載せ台
４３  受け軸
４４  滑り部材
６  連結手段
７  覆い
８  弾性手段
８１  ぜんまいばね
８２  巻取りリール
８３  つなぎコード
【図１】
0003148188.tif 000003
【図２】
0003148188.tif 000004
【図３】
0003148188.tif 000005
【図４】
0003148188.tif 000006
【図５】
0003148188.tif 000007
【図６】
0003148188.tif 000008
【図７】
0003148188.tif 000009
【図８】
0003148188.tif 000010